(57)【要約】【課題】  不正コピーを防止することができる情報記録方法、情報記録装置、情報再生方法、情報再生装置および情報記録媒体を提供することにある。【解決手段】  所定のデータを復号化のためのキー情報とすることにより、ファイルをコピーした場合、ファイル管理情報内に記録されているファイルサイズ分のデータだけ読み取られるため、ファイルサイズを超えた領域のデータが読み取られることがなくなる。このため、当該領域をチェックすることで対象ファイルが不正にコピーされたものか否かを判定することができ、アクセスを禁止することが可能となるので、不正コピーを防止することができる。【選択図】  図６
2005100576.tif 000002
【特許請求の範囲】
【請求項１】
最小記録・再生単位と最小情報単位とが異なる記録媒体に、ファイルとファイル管理情報とを記録し、
前記ファイル管理情報に前記ファイルのアドレスとサイズとを含ませ、
前記ファイルのアドレスを前記記録媒体のセクタ単位とし、前記ファイルのサイズを最小情報単位とし、前記ファイルの実体が記録されているアドレスの、前記ファイルサイズを超えた領域に所定のデータを記録する情報記録方法であって、
前記ファイルは予め暗号化されており、前記所定のデータは復号化のためのキー情報であることを特徴とする情報記録方法。
【請求項２】
最小記録・再生単位と最小情報単位とが異なる記録媒体に、ファイルとファイル管理情報とを記録し、
前記ファイル管理情報に前記ファイルのアドレスとサイズとを含ませ、
前記ファイルのアドレスを前記記録媒体のセクタ単位とし、前記ファイルのサイズを最小情報単位とし、前記ファイルの実体が記録されているアドレスの、前記ファイルサイズを超えた領域に所定のデータを記録する情報記録方法であって、
前記ファイルは予め暗号化されており、前記所定のデータは復号化のためのディスク固有の情報であることを特徴とする情報記録方法。
【請求項３】
前記ディスク固有の情報は、前記ディスクに予め記録されているＡＴＩＰ情報もしくはＴＯＣ内のポインタ情報であることを特徴とする請求項２記載の情報記録方法。
【請求項４】
前記所定のデータのデータ量を、当該ファイルの実体を記録するのに必要なセクタ分の領域から、ファイルサイズを減じた量以下とすることを特徴とする請求項１または２記載の情報記録方法。
【請求項５】
前記ファイルサイズがセクタの大きさの倍数に等しい場合、前記所定のデータを前記ファイルの実体の次に設定し、他のファイルの記録アドレスを、前記所定のデータを考慮したアドレスに設定することを特徴とする請求項１または２記載の情報記録方法。
【請求項６】
最小記録・再生単位と最小情報単位とが異なる媒体に、ファイルとファイル管理情報とを記録する手段と、
前記ファイル管理情報に前記ファイルのアドレスとサイズとを含ませる手段と、
前記ファイルのアドレスを媒体のセクタ単位とし、前記ファイルのサイズを最小情報単位とし、前記ファイルの実体が記録されているアドレスの、前記ファイルサイズを超えた領域に所定のデータを記録する手段と、
を備えた情報記録装置であって、
前記ファイルは予め暗号化されており、前記所定のデータは復号化のためのキー情報であることを特徴とする情報記録装置。
【請求項７】
最小記録・再生単位と最小情報単位とが異なる媒体に、ファイルとファイル管理情報とを記録する手段と、
前記ファイル管理情報に前記ファイルのアドレスとサイズとを含ませる手段と、
前記ファイルのアドレスを媒体のセクタ単位とし、前記ファイルのサイズを最小情報単位とし、前記ファイルの実体が記録されているアドレスの、前記ファイルサイズを超えた領域に所定のデータを記録する手段と、
を備えた情報記録装置であって、
前記ファイルは予め暗号化されており、前記所定のデータは復号化のためのディスク固有の情報であることを特徴とする情報記録装置。
【請求項８】
前記ディスク固有の情報は、前記ディスクに予め記録されているＡＴＩＰ情報もしくはＴＯＣ内のポインタ情報であることを特徴とする請求項７記載の情報記録装置。
【請求項９】
前記所定のデータのデータ量を、当該ファイルの実体が記録されるのに必要なセクタ分の領域から、ファイルサイズを減じた量以下とする手段を備えたことを特徴とする請求６または７記載の情報記録装置。
【請求項１０】
前記ファイルサイズがセクタの大きさの倍数に等しい場合、前記所定のデータを前記ファイルの実体の次に設定し、他のファイルの記録アドレスを、前記所定のデータを考慮したアドレスに設定する手段を備えたことを特徴とする請求項６または７記載の情報記録装置。
【請求項１１】
最小記録・再生単位と最小情報単位とが異なり、ファイルとファイル管理情報とが記録され、
前記ファイル管理情報に前記ファイルのアドレスとサイズとが含まれ、
前記ファイルのアドレスが前記記録媒体のセクタ単位であり、前記ファイルのサイズが最小情報単位であり、前記ファイルの実体が記録されているアドレスの、前記ファイルサイズを超えた領域に所定のデータが記録された情報記録媒体であって、
前記ファイルは予め暗号化されており、前記所定のデータは復号化のためのキー情報であることを特徴とする情報記録媒体。
【請求項１２】
最小記録・再生単位と最小情報単位とが異なり、ファイルとファイル管理情報とが記録され、
前記ファイル管理情報に前記ファイルのアドレスとサイズとが含まれ、
前記ファイルのアドレスが前記記録媒体のセクタ単位であり、前記ファイルのサイズが最小情報単位であり、前記ファイルの実体が記録されているアドレスの、前記ファイルサイズを超えた領域に所定のデータが記録された情報記録媒体であって、
前記ファイルは予め暗号化されており、前記所定のデータは復号化のためのディスク固有の情報であることを特徴とする情報記録媒体。
【請求項１３】
前記ディスク固有の情報は、前記ディスクに予め記録されているＡＴＩＰ情報もしくはＴＯＣ内のポインタ情報であることを特徴とする請求項１２記載の情報記録媒体。
【請求項１４】
前記所定のデータのデータ量は、当該ファイルの実体を記録するのに必要なセクタ分の領域から、ファイルサイズを減じた量以下であることを特徴とする請求項１３記載の情報記録媒体。
【請求項１５】
前記ファイルサイズがセクタの大きさの倍数に等しい場合、前記所定のデータが前記ファイルの実体の次に設定され、他のファイルの記録アドレスが、前記所定のデータを考慮したアドレスに設定されていることを特徴とする請求項１１または１２項記載の情報記録媒体。
【請求項１６】
最小記録・再生単位と最小情報単位とが異なり、ファイルとファイル管理情報とが記録され、
前記ファイル管理情報に前記ファイルのアドレスとサイズとが含まれ、
前記ファイルのアドレスがセクタ単位であり、前記ファイルのサイズが最小情報単位であり、前記ファイルの実体が記録されているアドレスの、前記ファイルサイズを超えた領域に所定のデータが記録された記録媒体の情報を再生する情報再生方法であって、
前記記録媒体のファイル使用時に当該領域をチェックし、所定のデータを確認することができない場合に、ファイルアクセスを禁止することを特徴とする情報再生方法。
【請求項１７】
前記所定のデータのデータ量は、当該ファイルの実体を記録するのに必要なセクタ分の領域から、ファイルサイズを減じた量以下であることを特徴とする請求項１６記載の情報再生方法。
【請求項１８】
前記ファイルサイズがセクタの大きさの倍数に等しい場合、前記所定のデータが前記ファイルの実体の次に設定され、他のファイルの記録アドレスが、前記所定のデータを考慮したアドレスに設定されていることを特徴とする請求項１６項記載の情報再生方法。
【請求項１９】
最小記録・再生単位と最小情報単位とが異なり、ファイルとファイル管理情報とが記録され、
前記ファイル管理情報に前記ファイルのアドレスとサイズとが含まれ、
前記ファイルのアドレスがセクタ単位であり、前記ファイルのサイズが最小情報単位であり、前記ファイルの実体が記録されているアドレスの、前記ファイルサイズを超えた領域に所定のデータが記録された記録媒体の情報を再生する情報再生装置であって、
前記記録媒体のファイル使用時に当該領域をチェックする手段と、
所定のデータを確認することができない場合に、ファイルアクセスを禁止する手段とを備えたことを特徴とする情報再生装置。
【請求項２０】
前記所定のデータのデータ量は、当該ファイルの実体を記録するのに必要なセクタ分の領域から、ファイルサイズを減じた量以下であることを特徴とする請求項１９記載の情報再生装置。
【請求項２１】
前記ファイルサイズがセクタの大きさの倍数に等しい場合、前記所定のデータが前記ファイルの実体の次に設定され、他のファイルの記録アドレスが、前記所定のデータを考慮したアドレスに設定されていることを特徴とする請求項１９項記載の情報再生装置。
【発明の詳細な説明】
【技術分野】
【０００１】
本発明は、媒体に記録されたデジタル情報を保護するための情報記録方法、情報記録装置、情報再生方法、情報再生装置および情報記録媒体に関するものである。
【背景技術】
【０００２】
近年、アプリケーションソフトウェア、静止画、動画などのコンテンツは、その大容量化に伴いＣＤ−ＲＯＭなどの媒体にファイルの形態で記録されて配布（販売）されるのが一般的である。
【０００３】
これらの媒体は、一般に最小記録・再生単位は、最小情報単位と異なっている。具体的には、ＣＤ媒体においては、最小記録・再生単位はセクタであり、最小情報単位はバイト（もしくはビット）である。
【０００４】
また、複数のファイルが記録されているような場合に、それぞれのファイルの所在を容易に取得するために、何らかのファイル管理情報を同時に記録することが一般的である。
【０００５】
このファイル管理情報は、各ファイルの媒体上の所在地（以下「アドレス」と呼ぶ）、容量（以下「サイズ」と呼ぶ）、作成日等の情報が含まれており、あるファイルを使用するような場合には、最初にこの管理情報を用いてファイルの媒体上のアドレス、サイズを特定し、次に媒体上の該当するアドレスを読み出すことで、ファイルの実体を取得している。
【０００６】
ファイルの存在するアドレスは、一般的に媒体の最小記録・再生単位（ＣＤ媒体ではセクタ。以下便宜上「セクタ」と表現する）以上の値である。これは、最小情報単位で表現すると、そのアドレスを示すために必要な情報量が増大し、実際に記録・管理可能なファイル数が減少してしまうためであるのと、管理情報の簡略化のためである。
【０００７】
このような媒体に記録されているデータはデジタルデータであり、他の媒体にコピーしても品質の劣化が生じないという特徴がある。このことを悪用して、本来ＣＤ媒体に記録されているデータやアプリケーションプログラム等を、不正にＨＤＤ等にコピーされてしまうという問題がある。
【０００８】
このような課題に対し、本出願人はセクタの余りに所定のデータを記録しておき、当該データが確認できない場合にアクセスを禁止するという発明を提案した（例えば、特許願第２００３−４８５６２号、特許文献１、２参照）。
【特許文献１】特開平７−２６２００１号公報
【特許文献２】特開２００１−２６６４７８号公報
【発明の開示】
【発明が解決しようとする課題】
【０００９】
ところで、上述した技術において、媒体上に記録されているデータをファイルとしてではなく、セクタデータとして読み出すことで、記録されている内容が容易に判別することが可能となってしまう。例えば当該ファイルがテキストデータの場合、セクタ情報を直接読み出してファイル形式で保存すれば、実質的にＨＤＤ等へのデータコピーが可能となってしまうという課題がある。
【００１０】
また、例えば１セクタが２０４８バイトで、ファイルサイズが２０００バイト、所定のデータ量が５０バイトであるような場合、ファイルの実体が記録されているアドレスには２０５０バイト分のデータを記録する必要がある。このような場合、当該ファイルの記録には２セクタを要するが、ファイル管理情報としては１セクタしか確保されない。
【００１１】
ここで、他にファイルが存在するような場合、そのアドレスが次のセクタを示していると、不整合が生じる。
さらに、例えばファイルサイズがセクタの大きさの倍数に等しいような場合は、所定のデータを記録することができないという課題がある。
【００１２】
そこで本発明の目的は、不正コピーを防止することができる情報記録方法、情報記録装置、情報再生方法、情報再生装置および情報記録媒体を提供することにある。
【課題を解決するための手段】
【００１３】
請求項１記載の発明は、最小記録・再生単位と最小情報単位とが異なる記録媒体に、ファイルとファイル管理情報とを記録し、前記ファイル管理情報に前記ファイルのアドレスとサイズとを含ませ、前記ファイルのアドレスを前記記録媒体のセクタ単位とし、前記ファイルのサイズを最小情報単位とし、前記ファイルの実体が記録されているアドレスの、前記ファイルサイズを超えた領域に所定のデータを記録する情報記録方法であって、前記ファイルは予め暗号化されており、前記所定のデータは復号化のためのキー情報であることを特徴とする。
【００１４】
請求項２記載の発明は、最小記録・再生単位と最小情報単位とが異なる記録媒体に、ファイルとファイル管理情報とを記録し、前記ファイル管理情報に前記ファイルのアドレスとサイズとを含ませ、前記ファイルのアドレスを前記記録媒体のセクタ単位とし、前記ファイルのサイズを最小情報単位とし、前記ファイルの実体が記録されているアドレスの、前記ファイルサイズを超えた領域に所定のデータを記録する情報記録方法であって、前記ファイルは予め暗号化されており、前記所定のデータは復号化のためのディスク固有の情報であることを特徴とする。
【００１５】
請求項３記載の発明は、請求項２記載の発明において、前記ディスク固有の情報は、前記ディスクに予め記録されているＡＴＩＰ情報もしくはＴＯＣ内のポインタ情報であることを特徴とする。
【００１６】
請求項４記載の発明は、請求項１または２記載の発明において、前記所定のデータのデータ量を、当該ファイルの実体を記録するのに必要なセクタ分の領域から、ファイルサイズを減じた量以下とすることを特徴とする。
【００１７】
請求項５記載の発明は、請求項１または２記載の発明において、前記ファイルサイズがセクタの大きさの倍数に等しい場合、前記所定のデータを前記ファイルの実体の次に設定し、他のファイルの記録アドレスを、前記所定のデータを考慮したアドレスに設定することを特徴とする。
【００１８】
請求項６記載の発明は、最小記録・再生単位と最小情報単位とが異なる媒体に、ファイルとファイル管理情報とを記録する手段と、前記ファイル管理情報に前記ファイルのアドレスとサイズとを含ませる手段と、前記ファイルのアドレスを媒体のセクタ単位とし、前記ファイルのサイズを最小情報単位とし、前記ファイルの実体が記録されているアドレスの、前記ファイルサイズを超えた領域に所定のデータを記録する手段と、を備えた情報記録装置であって、前記ファイルは予め暗号化されており、前記所定のデータは復号化のためのキー情報であることを特徴とする。
【００１９】
請求項７記載の発明は、最小記録・再生単位と最小情報単位とが異なる媒体に、ファイルとファイル管理情報とを記録する手段と、前記ファイル管理情報に前記ファイルのアドレスとサイズとを含ませる手段と、前記ファイルのアドレスを媒体のセクタ単位とし、前記ファイルのサイズを最小情報単位とし、前記ファイルの実体が記録されているアドレスの、前記ファイルサイズを超えた領域に所定のデータを記録する手段と、を備えた情報記録装置であって、前記ファイルは予め暗号化されており、前記所定のデータは復号化のためのディスク固有の情報であることを特徴とする。
【００２０】
請求項８記載の発明は、請求項７記載の発明において、前記ディスク固有の情報は、前記ディスクに予め記録されているＡＴＩＰ情報もしくはＴＯＣ内のポインタ情報であることを特徴とする。
【００２１】
請求項９記載の発明は、請求項６または７記載の発明において、前記所定のデータのデータ量を、当該ファイルの実体が記録されるのに必要なセクタ分の領域から、ファイルサイズを減じた量以下とする手段を備えたことを特徴とする。
【００２２】
請求項１０記載の発明は、請求項６または７記載の発明において、前記ファイルサイズがセクタの大きさの倍数に等しい場合、前記所定のデータを前記ファイルの実体の次に設定し、他のファイルの記録アドレスを、前記所定のデータを考慮したアドレスに設定する手段を備えたことを特徴とする。
【００２３】
請求項１１記載の発明は、最小記録・再生単位と最小情報単位とが異なり、ファイルとファイル管理情報とが記録され、前記ファイル管理情報に前記ファイルのアドレスとサイズとが含まれ、前記ファイルのアドレスが前記記録媒体のセクタ単位であり、前記ファイルのサイズが最小情報単位であり、前記ファイルの実体が記録されているアドレスの、前記ファイルサイズを超えた領域に所定のデータが記録された情報記録媒体であって、前記ファイルは予め暗号化されており、前記所定のデータは復号化のためのキー情報であることを特徴とする。
【００２４】
請求項１２記載の発明は、最小記録・再生単位と最小情報単位とが異なり、ファイルとファイル管理情報とが記録され、前記ファイル管理情報に前記ファイルのアドレスとサイズとが含まれ、前記ファイルのアドレスが前記記録媒体のセクタ単位であり、前記ファイルのサイズが最小情報単位であり、前記ファイルの実体が記録されているアドレスの、前記ファイルサイズを超えた領域に所定のデータが記録された情報記録媒体であって、前記ファイルは予め暗号化されており、前記所定のデータは復号化のためのディスク固有の情報であることを特徴とする。
【００２５】
請求項１３記載の発明は、請求項１２記載の発明において、前記ディスク固有の情報は、前記ディスクに予め記録されているＡＴＩＰ情報もしくはＴＯＣ内のポインタ情報であることを特徴とする。
【００２６】
請求項１４記載の発明は、請求項１３記載の発明において、前記所定のデータのデータ量は、当該ファイルの実体を記録するのに必要なセクタ分の領域から、ファイルサイズを減じた量以下であることを特徴とする。
【００２７】
請求項１５記載の発明は、請求項１１または１２記載の発明において、前記ファイルサイズがセクタの大きさの倍数に等しい場合、前記所定のデータが前記ファイルの実体の次に設定され、他のファイルの記録アドレスが、前記所定のデータを考慮したアドレスに設定されていることを特徴とする。
【００２８】
請求項１６記載の発明は、最小記録・再生単位と最小情報単位とが異なり、ファイルとファイル管理情報とが記録され、前記ファイル管理情報に前記ファイルのアドレスとサイズとが含まれ、前記ファイルのアドレスがセクタ単位であり、前記ファイルのサイズが最小情報単位であり、前記ファイルの実体が記録されているアドレスの、前記ファイルサイズを超えた領域に所定のデータが記録された記録媒体の情報を再生する情報再生方法であって、前記記録媒体のファイル使用時に当該領域をチェックし、所定のデータを確認することができない場合に、ファイルアクセスを禁止することを特徴とする。
【００２９】
請求項１７記載の発明は、請求項１６記載の発明において、前記所定のデータのデータ量は、当該ファイルの実体を記録するのに必要なセクタ分の領域から、ファイルサイズを減じた量以下であることを特徴とする。
【００３０】
請求項１８記載の発明は、請求項１６記載の発明において、前記ファイルサイズがセクタの大きさの倍数に等しい場合、前記所定のデータが前記ファイルの実体の次に設定され、他のファイルの記録アドレスが、前記所定のデータを考慮したアドレスに設定されていることを特徴とする。
【００３１】
請求項１９記載の発明は、最小記録・再生単位と最小情報単位とが異なり、ファイルとファイル管理情報とが記録され、前記ファイル管理情報に前記ファイルのアドレスとサイズとが含まれ、前記ファイルのアドレスがセクタ単位であり、前記ファイルのサイズが最小情報単位であり、前記ファイルの実体が記録されているアドレスの、前記ファイルサイズを超えた領域に所定のデータが記録された記録媒体の情報を再生する情報再生装置であって、前記記録媒体のファイル使用時に当該領域をチェックする手段と、所定のデータを確認することができない場合に、ファイルアクセスを禁止する手段とを備えたことを特徴とする。
【００３２】
請求項２０記載の発明は、請求項１９記載の発明において、前記所定のデータのデータ量は、当該ファイルの実体を記録するのに必要なセクタ分の領域から、ファイルサイズを減じた量以下であることを特徴とする。
【００３３】
請求項２１記載の発明は、請求項１９記載の発明において、前記ファイルサイズがセクタの大きさの倍数に等しい場合、前記所定のデータが前記ファイルの実体の次に設定され、他のファイルの記録アドレスが、前記所定のデータを考慮したアドレスに設定されていることを特徴とする。
【００３４】
（作用）
所定のデータを復号化のためのキー情報とすることにより、ファイルをコピーした場合、ファイル管理情報内に記録されているファイルサイズ分のデータだけ読み取られるため、ファイルサイズを超えた領域のデータが読み取られることがなくなる。このため、当該領域をチェックすることで対象ファイルが不正にコピーされたものか否かを判定することができ、アクセスを禁止することが可能となるので、不正コピーを防止することができる。
【発明の効果】
【００３５】
不正コピーを防止することができる情報記録方法、情報記録装置、情報再生方法、情報再生装置および情報記録媒体の提供を実現することができる。
【発明を実施するための最良の形態】
【００３６】
次に本発明の一実施の形態における情報記録再生装置である光ディスクドライブ装置（以下「ドライブ装置」という）の概略構成について図１を参照して説明する。尚、同ドライブ装置での記録媒体としてはＣＤ媒体（光ディスク）の場合で説明する。
【００３７】
大容量の情報を記録する装置として、光ディスクが使用されている。ここで、光ディスクとドライブ構成とについて概略を説明する。一般的なＣＤ−ＲディスクとＣＤ−Ｅディスクとは、書き込みが可能な（記録可能な）ＣＤ（コンパクトディスク）である。前者のＣＤ−Ｒ（ＣＤ−レコーダブル）は、１回だけ書き込みが可能なＣＤである（なお、ＣＤ−Ｗｒｉｔｅ  Ｏｎｃｅともいわれている）。
【００３８】
また、後者のＣＤ−Ｅ（ＣＤ−イレーザブル）は、複数回の書き込みが可能なＣＤである（なお、ＣＤ−ＲＷ：ＣＤリライタブルともいわれている）。これらのＣＤ−ＲやＣＤ−Ｅディスク、すなわち、光ディスクは、図１に示すようなドライブ装置によって情報の記録再生が行われる。
【００３９】
図１に示すドライブ装置において、１は光ディスク、２はスピンドルモータ、３は光ピックアップ、４はモータドライバ、５はリードアンプ、６はサーボ手段、７はＣＤデコーダ、８はＡＴＩＰデコーダ、９はレーザコントローラ、１０はＣＤエンコーダ、１１はＣＤ−ＲＯＭエンコーダ、１２はバッファＲＡＭ、１３はバッファマネージャ、１４はＣＤ−ＲＯＭデコーダ、１５はＡＴＡＰＩ／ＳＣＳＩインターフェース、１６はＤ／Ａコンバータ、１７はＲＯＭ、１８はＣＰＵ、１９はＲＡＭを示し、ＬＢはレーザ光、Ａｕｄｉｏはオーディオ出力信号を示す。
【００４０】
図１に示す矢印はデータが主に流れる方向を示し、図１を簡略化して表記するために、各ブロックを制御するＣＰＵ１８には、太線のみを付けて各ブロックとの接続を省略している。ＲＯＭ１７には、ＣＰＵ１８にて解読可能なコードで記述された制御プログラムが格納されている。
【００４１】
尚、ドライブ装置の電源がオン状態になると、プログラムは図示されないメインメモリにロードされ、ＣＰＵ１８はそのプログラムに従って各部の動作を制御すると共に、制御に必要なデータを一時的にＲＡＭ１９に保存する。
【００４２】
図１に示すように、ドライブ装置の動作として、光ディスク１は、スピンドルモータ２によって回転駆動される。このスピンドルモータ２は、モータドライバ４とサーボ手段６とにより、線速度が一定になるように制御される。この線速度は段階的に変更することが可能である。光ピックアップ３は、図示されない半導体レーザ、光学系、フォーカスアクチュエータ、トラックアクチュエータ、受光素子およびポジションセンサを内蔵しており、レーザ光ＬＢを光ディスク１に照射する。
【００４３】
また、光ピックアップ３は、図示されない半導体レーザ、光学系、フォーカスアクチュエータ、トラックアクチュエータ、受光素子およびポジションセンサを内蔵しており、レーザ光ＬＢを光ディスク１に照射する。また、この光ピックアップ３はシークモータによってスレッジ方向への移動が可能である。これらのフォーカスアクチュエータ、トラックアクチュエータ、シークモータは、受光素子とポジションとから得られる信号に基づいて、モータドライバ４とサーボ手段６とにより、レーザ光ＬＢのスポットが光ディスク１上の目的の場所に位置するように制御される。
【００４４】
次に再生時（リード時）には、光ピックアップ３によって得られた再生信号が、リードアンプ５で増幅されて２値化された後、ＣＤデコーダ７に入力される。ＣＤデコーダ７に入力された２値化データは、このＣＤデコーダ７において、ＥＦＭ（Ｅｉｇｈｔ  ｔｏ  Ｆｏｕｒｔｅｅｎ  Ｍｏｄｕｌａｔｉｏｎ）復調される。
【００４５】
尚、記録データは、８ビットずつまとめられてＥＦＭ変調されており、このＥＦＭ変調では、８ビットを１４ビットに変換し、結合ビットを３ビット付加して合計１７ビットにする。この場合に、結合ビットは、それまでの「１」および「０」の数が平均的に等しくなるように付けられる。これを「ＤＣ成分の抑制」といい、ＤＣカットされた再生信号のスライスレベル受動が抑圧される。
【００４６】
復調されたデータは、デインターリーブ処理およびエラー訂正処理が行われる。その後、このデータは、ＣＤ−ＲＯＭデコーダ１４へ入力され、データの信頼性を高めるために、さらにエラー訂正の処理が行われる。このように、２回のエラー訂正処理が行われたデータは、バッファマネージャ１３によって一旦バッファＲＡＭ１２に蓄積され、セクタデータとして揃った状態で、ＡＴＡＰＩ／ＳＣＳＩインターフェース１５を介して、図示しないホストコンピュータへ一気に転送される。
【００４７】
尚、音楽データの場合には、ＣＤデコーダ７から出力されたデータが、Ｄ／Ａコンピュータ１６へ入力され、アナログのオーディオ出力信号Ａｕｄｉｏとして取り出される。
【００４８】
また、記録時（ライト時）には、ＡＴＡＰＩ／ＳＣＳＩインターフェース１５を介して、ホストコンピュータから送られてきたデータは、バッファマネージャ１３によって一旦、バッファＲＡＭ１２に蓄積される。そして、バッファＲＡＭ１２内にある程度の量のデータが蓄積された状態で、記録動作（ライト動作）が開始されるが、この場合には、その前にレーザスポットを書き込み開始地点に位置させる必要がある。この地点は、トラックの蛇行により予め光ディスク１上に刻まれているウォブル信号によって求められる。
【００４９】
このウォブル信号には、ＡＴＩＰ（Ａｂｓｏｌｕｔｅ  Ｔｉｍｅ  Ｉｎ  Ｐｒｅ−ｇｒｏｏｖｅ）と呼ばれる絶対時間情報が含まれており、この絶対時間情報がＡＴＩＰデコーダ８によって取り出される。また、このＡＴＩＰデコーダ８によって生成される同期信号は、ＣＤエンコーダ１０へ入力され、光ディスク１上の正確な位置へのデータの書き込みを可能にしている。バッファＲＡＭ１２のデータは、ＣＤ−ＲＯＭエンコーダ１１やＣＤエンコーダ１０において、エラー訂正コードの付加やインターリーブが行われ、レーザコントローラ９、光ピックアップ３を介して、光ディスク１に記録される。
【００５０】
尚、ＥＦＭ変調されたデータや、ビットストリームとしてチャンネルビットレート４．３２１８Ｍｂｐｓ（標準速）でレーザを駆動する。この場合の記録データは、５８８チャンネルビット単位でＥＦＭフレームを構成する。チャンネルクロックとは、このチャンネルビットの周波数のクロックを意味する。
【００５１】
以上が図１のドライブ装置の構成および動作の概要である。
次に図２は図１に示したドライブ装置を使用した情報処理装置の概略構成を示すブロック図である。
【００５２】
この情報処理装置には、主制御装置（ＣＰＵ）２０、インターフェース２１、記録装置（ＨＤＤ：ハードディスク）２２、表示装置２３および入力装置２４等を備えている。主制御装置２０は、マイクロコンピュータ、メインメモリ（図示せず）等を含んで構成され、情報処理装置（ホスト）の全体を制御する。
【００５３】
マイクロコンピュータは、記録媒体への情報の記録時や再生時において暗号化されたファイルに対しキー情報に基づいて復号化処理を行うようになっている。
インターフェース２１は、光ディスクドライブ装置との双方方向の通信インターフェースであり、ＡＴＡＰＩおよびＳＣＳＩ等の標準インターフェースに準拠している。インターフェース２１はドライブ装置のインターフェース１５と接続されている。
【００５４】
尚、各インターフェース間の接続形態は、通信ケーブル（例えば、ＳＣＳＩケーブル）等の通信線を用いたケーブル接続だけでなく、赤外線等を利用したワイヤレス接続であってもよい。
記録装置（ＨＤＤ：ハードディスク）２２には、主制御装置２０のマイクロコンピュータで解読可能なコードで記述されたプログラムが格納されている。
【００５５】
尚、情報処理装置の駆動電源がオン状態になると、前記プログラムは主制御装置２０のメインメモリにロードされる。
表示装置２３は、例えばＣＲＴ、液晶ディスプレイ（ＬＣＤ）およびプラズマディスプレイパネル（ＰＤＰ）等の表示部（図示せず）を備え、主制御装置２０からの各種情報を表示する。
【００５６】
入力装置２４は、例えばキーボード、マウスおよびポインティングデバイス等のうち少なくとも一つの入力媒体（図示せず）を備え、ユーザから入力された各種情報を主制御装置２０に通知する。
尚、入力媒体からの情報はワイヤレス方式で入力されてもよい。また、表示装置２３と入力装置２４とが一体化したものとして、例えばタッチパネル付きＣＲＴ等がある。
【００５７】
情報処理装置は、オペレーティングシステム（以下「ＯＳ」という）を搭載している。そして、情報処理装置を構成する全てのデバイスはＯＳによって管理されるものとする。
【００５８】
図３は、図１に示した情報処理装置に用いられる光ディスクのフォーマットであり、セクタ３１がセクタ０（３１）から順にセクタ番号（１、２、…、Ｎ）が与えられる。このセクタ番号は、アドレスとして使用される。
【００５９】
図４は、情報記録媒体におけるファイル管理情報としてＣＤ媒体に対して用いられることの多い、ＩＳＯ９６６０ファイルシステムレイアウトの一例である。通常、ＣＤがドライブに装着された後、ＰＶＤ３２から順にＶｏｌｕｍｅ  Ｄｅｓｃｒｉｐｔｏｒが読み取られる。
ＰＶＤ３２に記録されているアドレス情報からＰＴ３４を読みこむ。
以下、アクセスしたいファイルが存在するディレクトリを読みこんだＰＴ３４より検索し、ＰＴ３４に記録されているＤＲ３５のアドレス情報からＤＲ３５を読みこみ、ＤＲ３５に記録されているアドレス情報からＦＥ３６を読みこむ。
【００６０】
ここで、セクタについては、一般にＣＤでは１セクタ当たりのデータ量は２０４８バイトである。また、図４において、ＰＶＤ３２は、Ｐｒｉｍａｒｙ  Ｖｏｌｕｍｅ  Ｄｅｓｃｒｉｐｔｏｒの略で、ディスクに記録されている一連のファイル群（以下「ボリューム」という）に関する情報が記録される。ここに、後述するＰａｔｈ  ＴａｂｌｅやＲｏｏｔ  Ｄｉｒｅｃｔｏｒｙのアドレス等も記録される。
【００６１】
ＰＴ３３は、Ｐａｔｈ  Ｔａｂｌｅの略で、ボリューム中の全ディレクトリ情報（ディレクトリ名、アドレス、親ディレクトリ等）を並べたテーブルである。ＤＲ３５は、Ｄｉｒｅｃｔｏｒｙ  Ｒｅｃｏｒｄの略で、各ディレクトリに含まれるファイルやディレクトリ情報（名前、アドレス、ファイルサイズ等）が記録される。ＦＥ３６は、Ｆｉｌｅ  Ｅｘｔｅｎｔの略で、ファイルの実体が記録される。
【００６２】
次に、本発明の情報記録方法・再生方法を図５および図６により説明する。
図５は、本発明に係る情報記録方法を適用した記録媒体のレイアウト例で、ＦＥ領域に記録されているファイルの実体の後に、所定のデータが記録されていることを示している。
【００６３】
次に、本発明に係る情報再生方法について、図６により説明する。図６は本発明にかかる情報再生方法を適用したファイル読み出し処理を示すフローチャートである。
まず、ファイル読み出し処理を実行すると、ファイル管理情報から、ファイル実体のアドレス・サイズを確認する（ステップＳ１）。
このステップＳ１で得られた情報から、ファイル実体の後に記録されている所定のデータを読み出す（ステップＳ２）。
【００６４】
読み出したデータが正しいかどうかを確認し（ステップＳ３）、読み出したデータが正しくない場合はファイルの読み出し処理を中止する（ステップＳ４）。
読み出したデータが正しい場合、ファイル実体読み出し処理を開始する（ステップＳ５）。
所定のデータを用いてファイルの実体を復号する（ステップＳ６）。
【００６５】
ここで、復号の前提となる暗号化については、別途実施されていればよい（図６に示すフローチャートはファイル読み出し処理であり、特に記載はしていない。敢えて暗号化について言及すると、ファイル作成→暗号化実施→暗号化済みファイル・復号用データ記録→終了となる。また、暗号化処理は、ファイルをディスクに記録するときに実施しても、ディスクに記録する前に、予め実施しても良い。このようなパスで記録されたディスクからデータを読み出す際には、図６に示したフローチャートに従う。）。
【００６６】
次に、本発明に係る情報記録方法を図７（ａ）、（ｂ）を参照して説明する。
所定のデータのサイズが無制限であるとすると、ファイルサイズと所定のデータサイズによっては、図７（ａ）のように、ファイルサイズで確保されているセクタを超えてしまう。本発明に係る情報記録方法では、ファイル実体の記録に必要なセクタ分の領域とファイルサイズから所定のデータサイズが決定する。この場合、レイアウトとしては図７（ｂ）のようになり、ファイルサイズで確保されているセクタを超えてしまうことがなくなる。
【００６７】
尚、図７（ａ）は従来の情報記録方法を適用した情報記録媒体のレイアウトを示す図であり、図７（ｂ）は本発明の情報記録方法を適用した情報記録媒体のレイアウトを示す図である。
次に、本発明に係る情報記録方法を図８（ａ）、８（ｂ）を参照して説明する。
図８（ａ）は従来の情報記録方法を適用した情報記録媒体のレイアウトを示す図であり、図８（ｂ）は本発明の情報記録方法を適用した情報記録媒体のレイアウトを示す図である。
【００６８】
ファイルサイズがセクタサイズの倍数に等しいような場合、ファイル管理情報から見ると図８（ａ）のようになってしまう。本発明に係る情報記録方法を用いることにより、図８（ｂ）のようなレイアウトになるので、不整合は生じない。
【００６９】
ところで、図９は本発明に係る情報再生方法を適用した他のファイル読み出し処理を示すフローチャートである。
図９に示したフローチャートの図６に示したフローチャートとの相違点は、ファイル実体読み出し開始処理（ステップＳ５、Ｐ５）とファイル復号処理（ステップＳ６、Ｐ７）との間にデータ・情報を取得する処理（ステップＰ６）を挿入した点である。
【００７０】
ステップＰ３における「所定のデータ」は、セクタの余りに記録されたディスク固有の情報であり、この「ディスク固有の情報」は例えば、（ａ）ディスクに予め記録されているアドレス情報であるＡＴＩＰ情報（例えばリードインスタートタイム或いはリードアウトスタートタイム）もしくは（ｂ）ＴＯＣ（Table Of Contents：ディスクに記録されているTrackの数・長さ・各Trackの開始位置や終了位置、Sessionの数、位置などの情報）内のポインタ情報をいう。すなわちこれらＡＴＩＰ情報やＴＯＣ内のポインタ情報の値を取得する（あるいは所定の値であることを要する）ことになる。
【００７１】
まず、ファイル読み出し処理を実行すると、ファイル管理情報から、ファイル実体のアドレス・サイズを確認する（ステップＰ１）。
このステップＳ１で得られた情報から、ファイル実体の後に記録されている所定のデータを読み出す（ステップＰ２）。
【００７２】
読み出したデータが正しいかどうかを確認し（ステップＰ３）、読み出したデータが正しくない場合はファイルの読み出し処理を中止する（ステップＰ４）。
読み出したデータが正しい場合、ファイル実体読み出し処理を開始する（ステップＰ５）。
所定のデータとしてのＡＴＩＰ情報やＴＯＣ内のポインタ情報の値を取得する（ステップＰ６）。
所定のデータ（ディスク固有の情報）を用いてファイルの実体を復号する（ステップＰ７）。
【００７３】
本実施の形態において、ファイルをコピーした場合には、ファイル管理情報内に記録されているファイルサイズ分のデータだけが読み取られるため、ファイルサイズを超えた領域のデータが読み取られることはない。そのため、当該領域をチェックすることで対象ファイルが不正にコピーされたものかどうかを判定することができ、アクセスを禁止することが可能となるので、不正コピーを防ぐことが可能となる。さらに、当該ファイルは暗号化されており、セクタ単位で読み出された場合にも、記録されている内容が容易に解読されてしまうことされてしまうことを防ぐことが可能となる。また、仮にこれらが取り出されたとしても、復号化のためにはディスク固有の情報を要するため、実データを復号化されてしまうことを防ぐことができる。
【００７４】
なお、図９では所定のデータとしてのＡＴＩＰ情報やＴＯＣ内のポインタ情報の値を取得する処理（ステップＰ６）がステップＰ５とステップＰ７との間に挿入されているが、本発明はこれに限定されるものではなく、ステップＰ１とステップＰ２との間に挿入するようにしてもよい。
本発明は情報記録方法、情報記録装置、情報再生方法および情報再生装置だけでなく、情報記録媒体に適用してもよいが、説明は省略する。
【００７５】
＜発明の効果＞
ファイルをコピーした場合には、ファイル管理情報内に記録されているファイルサイズ分のデータだけが読み取られるため、ファイルサイズを超えた領域のデータが読み取られることはない。そのため、当該領域をチェックすることで対象ファイルが不正にコピーされたものかどうかを判定することができ、アクセスを禁止することが可能となるので、不正コピーを防ぐことが可能となる。さらに、該ファイルは暗号化されており、セクタ単位で読み出された場合にも、記録されている内容が容易に解読されてしまうことを防ぐことが可能となる。
【００７６】
例えば１セクタが２０４８バイトで、ファイルサイズが２０００バイトのような場合には、所定のデータ量が４８バイト以下となるので、ファイルの実体（例えばエンクリプトが施されている）が記録されているアドレスには１セクタ分以下のデータを記録すれば良く、ファイル管理情報と不整合を起こす可能性がなくなる。
【００７７】
ファイルサイズがセクタの大きさに等しいような場合にも、ファイル管理情報に不整合を生じさせること無く、前述したような所定のデータを記録することが可能となる。
媒体上に記録されたファイルに対して、あらかじめ前述した情報記録方法が適用されているので、前述したような情報再生方法を用いるだけで、不正コピーを防ぐことが可能となる。
＜その他＞
【００７８】
ここで、特開平７−２６２００１号公報記載の発明は、請求項１から５において、ファイルの記録されている物理アドレスと論理アドレスの関係をあらかじめ記憶させ、このアドレス関係を比較することで不正使用を防止するものであり、本発明とは異なる。この公報の請求項６では、欠陥管理システム上で実現可能な方法であり、本発明は欠陥管理システムの有無に関わり無く実現可能である。この公報の請求項７はコピー作成時に関わるものであり、本発明とは関係がない。
【００７９】
同公報の請求項８の原本のＩＤという表現は本発明で言うところの所定のデータと一見類似しているように見えるが、本発明ではＩＤの記録方法に関してレーザビーム照射に限定するものではなく、また、ソフトウェア中にＩＤ（本発明で言うところの所定のデータ）の記録されている箇所を組み込む必要はない。同公報の請求項９、１０は、一般に光ディスクへのデータ記録は、ＣＤ−Ｒと呼ばれるライトワンスディスクの場合、レーザビーム照射による不可逆変化を利用したものであり、公知である。
【００８０】
特開２００１−２６６４７８号公報記載の発明は、請求項１から３において、一部の同期信号が除去されたダミーファイルを備えることによる、不正コピーを防止する記録媒体に関する発明であり、本発明とは異なる。
【００８１】
またこの公報の請求項４、５も一部の同期信号が除去されたダミーファイルを備えることが要件に含まれているため、本発明とは異なる。
【００８２】
公開前の当社先願等対外的には公知でないが、社内では知られているものは、いずれも本発明とは異なるが、不正コピーを防ぐための情報記録・再生方法に関わるものである。
例えば、特許願第２００２−３３１３１２号「ディスク属性を識別してプログラム起動をコントロール」、特許願第２００２−３３２５２６号「製品搭載レベルコピーガード１」等が挙げられる。
【００８３】
また本明細書でも言及しているように、特許願第２００３−４８５６２号は、本発明のベースとなる発明である。
【図面の簡単な説明】
【００８４】
【図１】本発明の一実施の形態における情報記録再生装置である光ディスクドライブ装置の概略構成を示す図である。
【図２】図１に示したドライブ装置を使用した情報処理装置の概略構成を示すブロック図である。
【図３】図１に示した情報処理装置に用いられる光ディスクのフォーマットである。
【図４】情報記録媒体におけるファイル管理情報としてＣＤ媒体に対して用いられることの多い、ＩＳＯ９６６０ファイルシステムレイアウトの一例である。
【図５】本発明に係る情報記録方法を適用した記録媒体のレイアウト例である。
【図６】本発明に係る情報再生方法を適用したファイル読み出し処理を示すフローチャートである。
【図７】（ａ）は従来の情報記録方法を適用した情報記録媒体のレイアウトを示す図であり、（ｂ）は本発明の情報記録方法を適用した情報記録媒体のレイアウトを示す図である。
【図８】（ａ）は従来の情報記録方法を適用した情報記録媒体のレイアウトを示す図であり、（ｂ）は本発明の情報記録方法を適用した情報記録媒体のレイアウトを示す図である。
【図９】本発明に係る情報再生方法を適用した他のファイル読み出し処理を示すフローチャートである。
【符号の説明】
【００８５】
１    光ディスク
２    スピンドルモータ
３    光ピックアップ
４    モータドライバ
５    リードアンプ
６    サーボ手段
７    ＣＤデコーダ
８    ＡＴＩＰデコーダ
９    レーザコントローラ
１０    ＣＤエンコーダ
１１    ＣＤ−ＲＯＭエンコーダ
１２    バッファＲＡＭ
１３    バッファマネージャ
１４    ＣＤ−ＲＯＭデコーダ
１５    ＡＴＡＰＩ／ＳＣＳＩインターフェース
１６    Ｄ／Ａコンバータ
１７    ＲＯＭ
１８    ＣＰＵ
１９    ＲＡＭ
ＬＢ    レーザ光
Ａｕｄｉｏ    オーディオ出力信号
【図１】
2005100576.tif 000003
【図２】
2005100576.tif 000004
【図３】
2005100576.tif 000005
【図４】
2005100576.tif 000006
【図５】
2005100576.tif 000007
【図６】
2005100576.tif 000008
【図７】
2005100576.tif 000009
【図８】
2005100576.tif 000010
【図９】
2005100576.tif 000011